(57)【要約】【課題】沈胴動作中に異常動作が生じたときに移動中の退避レンズ枠が後方のレンズ枠に干渉せず円滑な退避動作を行い得る沈胴式ズームレンズ鏡筒を提供する。【解決手段】ズーム駆動源と、フォーカス駆動源と、光軸方向に突出した突部１０ｈを有し退避レンズ２３を保持しズーム駆動源で駆動され撮影状態時には退避レンズを光路上に配しズーミングで光軸方向に移動し撮影状態から非撮影状態への移行に連動して光路外に突部と共に揺動退避する退避レンズ枠１０と、フォーカシングレンズ２４を保持しフォーカス駆動源で駆動されフォーカシングレンズを光軸方向に移動させ、撮影状態及び短縮する方向への駆動状態時には退避レンズ枠と当接せず、短縮する方向への駆動状態時に生ずる異常駆動の際は退避レンズ枠の突部に当接し、突部と当接中には突部の揺動軌跡に沿って突部をガイドするガイド軌跡部１３ｃ，１３ｄを有するフォーカシングレンズ枠１３とを有する。【選択図】図１
2009025557.tif 000002
【特許請求の範囲】
【請求項１】
非撮影状態のときの全長がズーミング可能な撮影状態のときよりも短縮されるズームレンズ鏡筒において、
ズーミングのためのズーム駆動源と、
フォーカシングのためのフォーカス駆動源と、
光軸方向に突出した突部を有し、退避レンズを保持し、上記ズーム駆動源により駆動され、撮影状態時には上記退避レンズを光路上に配置しズーミングにより光軸方向に移動し、撮影状態から非撮影状態への移行に連動して光路外に上記突部と共に揺動して退避する退避レンズ枠と、
フォーカシングレンズを保持し、上記フォーカス駆動源により駆動され、上記フォーカシングレンズを光軸方向に移動させる枠であって、撮影状態及び短縮する方向への駆動状態のときには、上記退避レンズ枠とは当接せず、上記短縮する方向への駆動状態のときに発生した異常駆動がなされたときには、上記退避レンズ枠の上記突部と当接し、上記突部との当接状態にあるときには、上記突部の揺動の軌跡に沿って上記突部をガイドするガイド軌跡部を有するフォーカシングレンズ枠と、
を有することを特徴としたズームレンズ鏡筒。
【請求項２】
非撮影状態のときの全長がズーミング可能な撮影状態のときよりも短縮されるズームレンズ鏡筒において、
ズーミングのためのズーム駆動源と、
フォーカシングのためのフォーカス駆動源と、
上記ズーム駆動源によりズーム光学系を光軸方向に駆動して、当該ズームレンズ鏡筒を非撮影状態に駆動するズーム駆動機構と、
上記フォーカス駆動源によりフォーカシング光学系を光軸方向に駆動するフォーカス駆動機構と、
光軸方向に突出した突部を有し、退避レンズを保持し、上記ズーム駆動機構により駆動され、撮影状態時には上記退避レンズを光路上に配置しズーミングにより光軸方向に移動し、撮影状態から非撮影状態への移行に連動して光路外に上記突部と共に光軸に平行に設けられる揺動軸に関して揺動して退避する退避レンズ枠と、
フォーカシングレンズを保持し、上記フォーカス駆動機構により駆動され、上記フォーカシングレンズを光軸方向に移動させる枠であって、撮影状態及び短縮する方向への駆動状態のときには、上記退避レンズ枠とは当接せず、短縮する方向への駆動状態のときに発生した異常駆動がなされたときには、上記退避レンズ枠の上記突部と当接し、上記突部との当接状態にあるときには、上記突部の揺動の軌跡に沿って上記突部をガイドするガイド軌跡部を有するフォーカシングレンズ枠と、
を有することを特徴としたズームレンズ鏡筒。
【請求項３】
上記退避レンズ枠の上記突部は、上記フォーカシングレンズの有効径の外側を揺動することを特徴とした請求項１又は請求項２のいずれか一方に記載のズームレンズ鏡筒。
【請求項４】
上記退避レンズ枠は、光軸方向に移動する移動枠に、光軸方向と平行な回転軸に揺動可能に支持されていることを特徴とした請求項１又は請求項２のいずれか一方に記載のズームレンズ鏡筒。
【発明の詳細な説明】
【技術分野】
【０００１】
この発明は、ズームレンズ鏡筒、詳しくは撮影状態のときには短焦点状態から長焦点状態との間でズーミング可能であり、非撮影状態としたときには全長が撮影状態のときよりも短縮されるように構成されるズームレンズ鏡筒に関するものである。
【背景技術】
【０００２】
従来、撮影状態のときには短焦点状態から長焦点状態の間でズーミング可能であり、非撮影状態としたときには全長が撮影状態のときよりも短縮されるように構成されるいわゆる沈胴式のズームレンズ鏡筒が一般に実用化されている。
【０００３】
このような沈胴式のズームレンズ鏡筒を適用する従来のカメラ等にあっては、小型化への要望が常にあり、カメラ自体の小型化や薄型化を目的とする種々の技術が提案されている。
【０００４】
例えば、ズームレンズ鏡筒を構成する複数のレンズ群をそれぞれ保持する複数のレンズ枠のうちの所定のレンズ枠を撮影光学系の光路上から退避させる機構を備え、当該ズームレンズ鏡筒を撮影状態から非撮影状態（沈胴状態）とするときの動作に連動させて、当該所定のレンズ枠を光路上から退避させることで、非撮影状態（沈胴状態）時のズームレンズ鏡筒の全長の短縮化を実現したズームレンズ鏡筒が、従来種々提案されており、また実用化されている。
【０００５】
この種の退避レンズ枠を有する沈胴式のズームレンズ鏡筒は、その内部に撮影光学系を構成する複数のレンズ群と、これら複数のレンズ群をそれぞれ保持する枠部材，シャッター機構，絞り機構等が配置されている。そして、これらの各機構部材が光軸に沿う方向に各所定の移動量で進退するようにし、かつ撮影状態から非撮影状態にするときには、光軸方向への上記進退動作に加えて、退避レンズ枠を光路上から退避させる回動動作が行われるようになっている。
【０００６】
このように、ズームレンズ鏡筒における各構成部材が、光軸方向への進退動作及び光路上からの退避動作する際には、各構成部材同士が干渉することのないように構成する必要がある。そのために、この種のズームレンズ鏡筒は、非常に複雑な構成となっているのが普通である。
【０００７】
しかしながら、ズームレンズ鏡筒のさらなる小型化への要望に応じるためには、ズームレンズ鏡筒内において、各構成部材の必要な移動量を確保した上で、各構成部材を極めて密に配置し、かつ移動時の各構成部材同士の干渉を避けるための技術的工夫が、さらに必要となる。
【０００８】
そこで、例えば特開２００４−２３３９２４号公報等によって開示されているズームレンズ鏡筒においては、退避レンズ枠の後方にフォーカシングレンズ枠を配置するようにし、このフォーカシングレンズ枠を、ズーム作動とは独立して作動し得るように構成している。そして、回動し後退する退避レンズ枠の後方のフォーカシングレンズ枠の前方突出筒状部に、退避レンズ枠が退避回動する時の移動軌跡に沿う切欠部を設けるようにしている。
【０００９】
これによれば、隣接する構成部材同士の間隔をできる限り近付けながら、干渉を避けつつ必要な移動量を確保するために、退避レンズ枠の退避動作を切欠部を設けた分だけフォーカシングレンズ枠に近い位置で行わせることができ、よって小型化と円滑動作を両立させることができるというものである。
【特許文献１】特開２００４−２３３９２４号公報
【発明の開示】
【発明が解決しようとする課題】
【００１０】
ところが、上記特開２００４−２３３９２４号公報等によって開示されているズームレンズ鏡筒においては、ズームレンズ鏡筒が撮影状態から非撮影状態に変位させる際の沈胴動作時には、退避レンズ枠は、光軸に沿う方向に後退移動した後、光路上から退避する方向に回動移動するようになっている。そのため、当該ズームレンズ枠では、沈胴動作の動作中に、レンズ鏡筒の外面側（外観面）、例えばレンズ鏡筒の先端面等に対して、例えば落下や衝撃等による意図しない外力が加わった場合、動作中の退避レンズ枠が規定の移動量以上に移動してしまう等のことが考えられる。このような場合には、退避レンズ枠に保持されるレンズ群の後面側と、この退避レンズ枠の後方に配置されフォーカスレンズ枠に保持されるフォーカスレンズ群の前面側とが干渉してしまう等の可能性があり問題である。
【００１１】
また、上記公報等によるズームレンズ鏡筒等においては、ズーム駆動とフォーカス駆動とを別々に駆動させることができるようになっているので、フォーカシングレンズ枠は、ズーム駆動時に機械的に連動するようにはなっていない。
【００１２】
したがって、ズーム駆動とフォーカシング駆動とを制御するソフトウエアにおいて、なんらかの原因による電気的現象によって動作異常が生じた場合、例えばズーム駆動に連動させて退避動作が行われる退避レンズ枠に対して、フォーカシングレンズ枠の駆動が所定の動作をしないような場合には、退避レンズとフォーカスレンズが干渉してしまう可能性がある。
【００１３】
即ち、上述のような退避レンズ枠を有する沈胴式のズームレンズ鏡筒における通常の沈胴動作時のシーケンスとしては、まず、フォーカス駆動が行われて、フォーカシングレンズ枠が光軸に沿う方向であって後方に向けた繰り込み動作により所定の沈胴位置まで繰り込まれた後、ズーム駆動が行われて、ズームレンズ枠が光軸に沿う方向に短焦点位置から所定の沈胴位置まで繰り込まれる。
【００１４】
これに対して、上述の異常動作時の例としては、例えば、
（１）フォーカシングレンズ枠が所定の沈胴位置までに至らず途中で停止してしまうような場合（退避位置異常）、
（２）シーケンス的に正常動作がなされずに、フォーカシングレンズ枠の繰り込み動作途中で、ズームレンズ枠の繰り込み動作が開始されてしまうような場合（動作タイミング異常）、
（３）フォーカス駆動による動作時にフォーカシングレンズ枠が通常の繰り込み動作とは逆に繰り出し動作が行われてしまうような場合（駆動方向異常、動作位置異常）、
等の異常動作が考えられる。このような異常動作が生じた場合には、退避レンズとフォーカスレンズとが干渉してしまうことになるので問題である。
【００１５】
本発明は、上述した点に鑑みてなされたものであって、その目的とするところは、撮影状態のときには短焦点状態から長焦点状態との間でズーミング可能であり、非撮影状態としたときには全長が撮影状態のときよりも短縮されるように構成されるズームレンズ鏡筒において、撮影状態から非撮影状態へと変位させる沈胴動作中に、意図しない外力等や電気的現象に起因する異常動作が生じたとしても、移動中の退避レンズ枠に保持されるレンズ群が、後方に配置されるフォーカシングレンズ枠等に保持されるレンズ等の他の構成部材に干渉することなく、常に円滑な退避動作を行うことができるように構成したズームレンズ鏡筒を提供することである。
【課題を解決するための手段】
【００１６】
上記目的を達成するために、本発明によるズームレンズ鏡筒は、非撮影状態のときの全長がズーミング可能な撮影状態のときよりも短縮されるズームレンズ鏡筒において、ズーミングのためのズーム駆動源と、フォーカシングのためのフォーカス駆動源と、光軸方向に突出した突部を有し退避レンズを保持し上記ズーム駆動源により駆動され撮影状態時には上記退避レンズを光路上に配置しズーミングにより光軸方向に移動し撮影状態から非撮影状態への移行に連動して光路外に上記突部と共に揺動して退避する退避レンズ枠と、フォーカシングレンズを保持し上記フォーカス駆動源により駆動され上記フォーカシングレンズを光軸方向に移動させる枠であって撮影状態及び短縮する方向への駆動状態のときには上記退避レンズ枠とは当接せず短縮する方向への駆動状態のときに発生した異常駆動がなされたときには、上記退避レンズ枠の上記突部と当接し上記突部との当接状態にあるときには上記突部の揺動の軌跡に沿って上記突部をガイドするガイド軌跡部を有するフォーカシングレンズ枠と、を有することを特徴とする。
【発明の効果】
【００１７】
本発明によれば、撮影状態のときには短焦点状態から長焦点状態との間でズーミング可能であり、非撮影状態としたときには全長が撮影状態のときよりも短縮されるように構成されるズームレンズ鏡筒において、撮影状態から非撮影状態へと変位させる沈胴動作中に、意図しない外力等や電気的現象に起因する異常動作が生じたとしても、移動中の退避レンズ枠が後方に配置されるフォーカシングレンズ枠等の他の構成部材に干渉することなく、常に円滑な退避動作を行うことができるように構成したズームレンズ鏡筒を提供することができる。
【発明を実施するための最良の形態】
【００１８】
以下、図示の実施の形態によって本発明を説明する。
【００１９】
図１は、本発明の一実施形態のズームレンズ鏡筒を示す分解斜視図である。なお、この図１においては、当該ズームレンズ鏡筒の後端側に配置される撮像ユニットを併せて図示している。
【００２０】
図２は、本実施形態のズームレンズ鏡筒における構成部材のうち第二群枠とシャッター及び三群ユニットと退避カムとを取り出して示すの要部分解斜視図である。なお、この図２においては、細部を詳細に図示するために、図１に示す状態とは異なる方向、即ち図１の左下方から当該ズームレンズ鏡筒を見た場合のようすを示している。
【００２１】
図３は、本実施形態のズームレンズ鏡筒における構成部材のうちシャッター及び三群ユニットの三群枠（退避レンズ枠）のみを取り出して拡大して示す要部拡大斜視図である。なお、図３では、三群枠（退避レンズ枠）における本発明の主要部を示すために、図２に示す状態とは異なる方向から見た場合のようすを示している。
【００２２】
図４は、本実施形態のズームレンズ鏡筒における構成部材のうちフォーカシングレンズ枠のみを取り出して拡大して示す要部拡大斜視図である。なお、図４では、フォーカシングレンズ枠における本発明の主要部を示すために、図１に示す状態とは異なる方向から見た場合のようすを示している。
【００２３】
図５，図６，図７は、本実施形態のズームレンズ鏡筒の組立状態における光軸方向に沿う面の断面図である。このうち、図５は、本実施形態のズームレンズ鏡筒が撮影状態において最長焦点位置に設定されている状態（テレ端状態）の断面図である。図６は、本実施形態のズームレンズ鏡筒が撮影状態において最短焦点位置に設定されている状態（ワイド端状態）の断面図である。図７は、本実施形態のズームレンズ鏡筒が非撮影状態に設定されている状態（沈胴状態）の断面図である。
【００２４】
図８は、本実施形態のズームレンズ鏡筒の作用を示す図である。詳しくは、本実施形態のズームレンズ鏡筒が撮影状態から非撮影状態に変位する際に意図しない外力等が外面に加えられた場合や電気的現象に起因する異常動作が生じた場合において、三群枠（退避レンズ枠）と四群枠（フォーカシングレンズ枠）とが当接する状態を示す要部拡大斜視図である。
【００２５】
なお、以下の説明においては、ズームレンズ鏡筒における撮影光学系の光軸を符号Ｏで表すものとする。また、光軸Ｏに沿う方向において被写体側を前方とし、当該ズームレンズ鏡筒における各鏡枠が、この前方に向かう際の方向を繰り出し方向というものとする。一方、同光軸Ｏに沿う方向において結像側を後方とし、各鏡枠が後方に向かう際の方向を繰り込み方向というものとする。また、当該ズームレンズ鏡筒における各部材の回転方向は、前方側から見た回転方向で表わすものとする。
【００２６】
本実施形態のズームレンズ鏡筒は、光軸Ｏに沿う方向に突出して撮影を行ない得る撮影状態と、当該ズームレンズ鏡筒１が適用される撮影装置等（特に図示せず）の筐体内に収納された状態の非撮影状態（沈胴状態）とに変位自在に構成され、撮影状態のときには短焦点位置から長焦点位置の間でズーミングが可能であり、非撮影状態としたときには全長が撮影状態のときよりも短縮されるように構成される沈胴式のズームレンズ鏡筒である。
【００２７】
図１に示すように、ズームレンズ鏡筒１は、後方側から固定枠２と、固定枠２に支持されてズーミング時や沈胴動作時に駆動源となる駆動モータ（特に図示せず）の駆動力によって回転及び進退駆動される回転枠３と、回転が規制された状態で回転枠３と共に光軸方向に進退する移動枠４と、回転枠３と共に回転し進退移動するカム枠５と、カム枠５の後端側に固定保持されカム枠５と後述の直進ガイド枠６とをバヨネット結合するバヨネットプレート１９と、回転が規制された状態でカム枠５と共に光軸方向に進退する直進ガイド枠６と、回転が規制された状態で回転枠３によって光軸方向に進退駆動されシャッター機構や退避レンズ枠である三群枠１０を内部に有するシャッター及び三群ユニット３２と、回転が規制された状態でカム枠５によって光軸方向にそれぞれ進退駆動される二群枠１１及び一群枠１２と、フォーカシング時や沈胴動作時に光軸方向に進退駆動されるフォーカシングレンズ枠である四群枠１３と、上記一群枠１２に保持される一群レンズ２１，上記二群枠１１に保持される二群レンズ２２，三群枠１０に保持される退避レンズである三群レンズ２３，四群枠１３に保持されるフォーカシングレンズである四群レンズ２４からなる撮影光学系と、上記固定枠２の後端に固定される保持プレート１５等によって構成される。
【００２８】
そして、ズームレンズ鏡筒１の後方には、撮像ユニット３３が装着されている。この撮像ユニット３３は、保持プレート１５の背面側に対して固定保持されている（詳細は後述する）。
【００２９】
固定枠２は、円筒状に形成されており、その内周部に光軸Ｏに対して傾斜する方向に形成される傾斜カム溝部と円周に沿う方向に形成される円周溝部とが連接してなるカム溝２ａと、光軸Ｏに沿う方向に形成される直進溝２ｂとを有している。
【００３０】
また、固定枠２の外周部には、撮影光学系のズーミング動作を行うためのユニットであって、ズーム駆動源であるズームモータや、このズームモータの駆動力を伝達するギヤー列，ロングギヤー４５等からなるズーミングユニット１７と、撮影光学系のフォーカシング動作を行うためのユニットであって、フォーカス駆動源であるフォーカスモータ，フォーカスモータの駆動力を伝達するギヤー列，送りねじ，ガイド軸５７（図６−図８参照）等からなるフォーカシングユニット１８とが配設されている。
【００３１】
ズーミングユニット１７は、ズームモータにより本ズームレンズ鏡筒１の撮影光学系のうちズーミング動作に寄与するズーム光学系（例えば一群レンズ２１，二群レンズ２２，三群レンズ２３）を光軸Ｏに沿う方向に駆動するズーム駆動機構であり、さらに、本ズームレンズ鏡筒１を撮影状態から非撮影状態へと駆動する沈胴動作も行うようになっている。
【００３２】
フォーカシングユニット１８は、フォーカスモータにより本ズームレンズ鏡筒１の撮影光学系のうちフォーカシング動作に寄与するフォーカシング光学系（例えば四群レンズ２４）を光軸Ｏに沿う方向に駆動するフォーカス駆動機構としての役目をしている。
【００３３】
なお、ロングギヤー４５は、光軸Ｏに平行となる方向に沿って固定枠２の内周部に露呈した状態で支持されている。また、ガイド軸５７は、光軸Ｏに平行となる方向に沿って図示しない固定部材に支持されている。そして、このガイド軸５７は、四群枠１３（フォーカシングレンズ枠）の軸穴１３ａに貫通している。これにより、当該四群枠１３は光軸方向に移動自在となっている。
【００３４】
回転枠３は、円筒状に形成されており、固定枠２の内周部に回動及び進退自在な状態で嵌入している。回転枠３の外周後方部には、固定枠２のカム溝２ａに摺動自在に嵌入するカムフォロワ３ａと、ロングギヤー４５に噛合するギヤー部３ｂとが形成されている。
【００３５】
また、回転枠３の内周部には、光軸Ｏに対して傾斜する方向に形成された三群用カム溝３ｄと、光軸Ｏに沿う方向に形成されたカム枠用直進溝３ｃとを有している。さらに、回転枠３の内周後端部には、内方に向けて突出するように形成される突部３ｅが設けられている。
【００３６】
上述したように、この回転枠３のカムフォロワ３ａは、固定枠２のカム溝２ａに摺動自在に嵌入しており、ギヤー部３ｂは、ロングギヤー４５に噛合している。したがって、ズーミングユニット１７のズームモータが駆動されて、ロングギヤー４５が回転駆動されると、その駆動力がギヤー部３ｂを介して回転枠３に伝達され、当該回転枠３を回転させるようになっている。こうして回転枠３が回転すると、当該回転枠３のカムフォロワ３ａが固定枠２のカム溝２ａの傾斜カム溝部に沿って移動することで、同回転枠３は、回転しながら所定の沈胴位置から撮影状態における短焦点位置にまで前方に繰り出される。そして、本ズームレンズ鏡筒１が撮影状態にあるときには、短焦点位置から長焦点位置までの間におけるズーミング動作中には、当該回転枠３は、カムフォロワ３ａとカム溝２ａの円周溝部とによって光軸Ｏに沿う方向には進退することなく回転方向にのみ駆動されるようになっている。
【００３７】
移動枠４は、円筒形状に形成されており、回転枠３の内周部において相対的に回転自在に嵌入している。この移動枠４の後端外周部には、固定枠２の直進溝２ｂに嵌入するガイド突起部４ａが外方に向けて突設されている。これにより、当該移動枠４は、固定枠２によって回転規制された状態で光軸方向への進退移動が可能となっている。
【００３８】
また、移動枠４には、直進状の三群用直進溝４ｂと、光軸Ｏに対して傾斜する方向に形成されるカム枠用カム溝４ｃと、外周後方部に形成される有底の円周溝４ｅとが設けられている。これら三群用直進溝４ｂ，カム枠用カム溝４ｃは、いずれも内外周を貫通してなる溝部となっている。
【００３９】
この移動枠４は、回転枠３の突部３ｅが円周溝４ｅに嵌入した状態で、回転枠３の内周部に嵌入するように配設されている。これにより、移動枠４は、回転枠３に対して相対的に回転が可能で、光軸Ｏに沿う方向に一体的に進退移動するようにバヨネット結合されている。
【００４０】
さらに、移動枠４の内周部には、光軸Ｏに沿う方向に形成され、後述の直進ガイド枠６のガイド突起部６ａが嵌入することで当該直進ガイド枠６の回転規制を行う直進溝４ｄが形成されている。
【００４１】
カム枠５は、円筒状に形成され、移動枠４の内周部に嵌入するように配置されている。このカム枠５は、外周後方部に外方に向けて突設されるカムフォロワ４１を有している。また、カム枠５の内周部には、光軸Ｏに対して傾斜する方向に形成される二群用カム溝５ａ及び一群用カム溝５ｂとが設けられている。
【００４２】
カム枠５のカムフォロワ４１は、移動枠４のカム枠用カム溝４ｃに摺動自在に係合しており、その係合状態で貫通している。そして、カムフォロワ４１の先端部は、回転枠３のカム枠用直進溝３ｃに嵌入して支持されている。これにより、カム枠５は、回転枠３と共に回動し、かつ回転枠３に対して相対的に光軸方向に進退する状態で支持されている。
【００４３】
直進ガイド枠６は、円筒状に形成され、ており、後端外周部に移動枠４の直進溝４ｄに嵌入するガイド突起部６ａを有している。また、直進ガイド枠６は、光軸Ｏに沿う方向に内外周を貫通するように形成される二群用直進溝６ｂと、光軸Ｏに沿う方向に外周面上に形成される有底の一群用直進溝６ｃと、前端側に形成されバリア駆動レバー（図示せず）を駆動する切り欠き状カム部６ｅとを有している。
【００４４】
そして、直進ガイド枠６は、カム枠５の内側に配置される一群枠１２の内周部に嵌入した状態に配置されている。このとき、直進ガイド枠６のガイド突起部６ａが移動枠４の直進溝４ｄに嵌入している。これにより、当該直進ガイド枠６は、移動枠４により進退自在に支持されると共に回転規制されている。また、直進ガイド枠６の一群用直進溝６ｃが一群枠１２のガイド突部１２ａ（後述する；図５参照）に嵌入している。これにより、当該直進ガイド枠６は、一群枠１２を進退自在に支持すると共に回転規制している。直進ガイド枠６は、カム枠５に対して回転自在となっており、当該かつ光軸Ｏに沿う方向に対しては、カム枠５と一体に移動するようになっている。
【００４５】
バヨネットプレート１９は、例えば薄板状の金属部材を略円環形状に形成したものであって、その外周縁部には、複数（本実施形態では３つ）の係合部１９ｂが円周上において略等間隔に、光軸Ｏに沿う方向（前方，被写体側）に向けて突設されている。また、バヨネットプレート１９の内周縁部には、複数（本実施形態では３つ）の突部１９ａが円周上において略等間隔に、光軸Ｏに対して直交する方向に向けて突設されている。
【００４６】
バヨネットプレート１９は、被写体側（前面側）から直進ガイド枠６に嵌合し、当該直進ガイド枠６の後端縁部に配設されるようになっている。この場合において、突部１９ａは、例えば直進ガイド枠６の直進溝６ｃを通過しながら円周溝６ｄに嵌入するようになっている。これにより、バヨネットプレート１９と直進ガイド枠６とは、一体となり、この状態において、バヨネットプレート１９は、直進ガイド枠６に対して相対的に回転可能となっている。こうして、バヨネットプレート１９を一体化した直進ガイド枠６は、カム枠５の内周側に、当該カム枠５の後方側（撮像素子側）から挿入されるようになっている。
【００４７】
このとき、バヨネットプレート１９の係合部１９ｂは、カム枠５の後端部近傍の外周面上において外方に向けて突設される突部５ｃに係合されるようになっている。その結果、カム枠５と直進ガイド枠６とは相対的に回転可能で、光軸Ｏに沿う方向には一体に進退可能となっている。
【００４８】
二群枠１１は、円筒状に形成され、直進ガイド枠６の内周部に嵌入された状態に配置されている。この二群枠１１の略中央部には二群レンズ２２が保持されており、外周部には外方に突設されるガイド突部１１ａと、このガイド突部１１ａ上において外方に突設されるカムフォロワ４３とを有している。
【００４９】
ガイド突部１１ａは、直進ガイド枠６の二群用直進溝６ｂに嵌入するようになっており、カムフォロワ４３は、二群用直進溝６ｂを挿通して、その外方に設けられるカム枠５の二群用カム溝５ａに摺動可能に嵌入している。したがってこれにより、二群枠１１は、直進ガイド枠６によって回転規制された状態で、カム枠５によって進退駆動されるようになっている。
【００５０】
一群枠１２は、円筒状に形成され、直進ガイド枠６の外周側であって、カム枠５の内周側に嵌入した状態に配置されている。この一群枠１２の略中央部には、一群レンズ２１を保持するレンズ保持枠２０（図１では図示せず。図５−図７参照）を保持している。また一群枠１２の前面内側には、一群レンズ２１の前面を開閉自在とするレンズバリア２７，バリア押さえ板２８が配置されている（図５−図７）。また、一群枠１２の外周側後端部には、外方に向けて突出するカムフォロワ４４が配設されている。そして、一群枠１２の内周部には、光軸Ｏに沿う方向に形成され、内方に向けて突設されるガイド突部１２ａ（図５参照）を有している。
【００５１】
そして、カムフォロワ４４は、カム枠５の一群用カム溝５ｂに嵌入し、ガイド突部１２ａは、直進ガイド枠６の一群用直進溝６ｃに嵌入するようになっている。したがってこれにより、一群枠１２は、直進ガイド枠６によって回転規制された状態で、カム枠５によって進退駆動されるようになっている。
【００５２】
レンズバリア２７は、一群枠１２の前端部において回動自在に支持されており、バネ付勢された状態で回動自在に支持されるバリア駆動レバー（図示せず）によって開閉駆動されるようになっている。このバリア駆動レバーは、当該ズームレンズ鏡筒１の沈胴動作時に直進ガイド枠６の切り欠き状カム部６ｅによって回動駆動されるのに連動してレンズバリア２７を閉方向に駆動するようになっている。
【００５３】
シャッター及び三群ユニット３２は、図１，図２に示すように支持部材であり後端側に配設される三群用直進枠７と、前端側に配設される押さえ板部材８と、シャッター機構を保持するシャッター枠９と、三群レンズ２３を保持し退避レンズ枠である三群枠１０と、シャッター枠９を付勢する圧縮バネ等からなるシャッター枠付勢部材であるシャッター枠付勢バネ５１と、三群枠１０を回動自在に軸支する三群枠支持軸５２と、三群枠１０を付勢するトーションバネ等からなる三群枠付勢部材である三群枠付勢バネ５３とからなる。
【００５４】
三群用直進枠７は、外方の三方向に向けて延出するように形成される腕部の各先端にそれぞれ設けられるガイド突部７ａと、各ガイド突部７ａからさらに外方に向けて突設されるカムフォワア４２とを有して形成されている。また、三群用直進枠７には、三群枠支持軸５２を軸支する軸支持穴７ｃと、前方に突設されシャッター枠９を光軸Ｏに沿う方向に摺動自在に軸支するシャッター支持軸部７ｂとを有して形成されている。そして、三群用直進枠７は、三群枠１０を光路外に退避させ得るのに充分な退避空間を有するように形成されている。
【００５５】
三群用直進枠７は、移動枠４の内部に嵌入した状態で配置され、ガイド突部７ａが移動枠４の三群用直進溝４ｂに嵌入し、カムフォロワ４２が回転枠３の三群用カム溝３ｄに嵌入されるようになっている。これにより、当該三群用直進枠７は、移動枠４によって回転規制された状態で、回転枠３によって進退駆動されるようになっている。
【００５６】
シャッター枠９は、略中央部に形成される中央開口部９ａと、シャッター支持軸部７ｂを摺動自在に嵌入する支持軸穴９ｃが穿設される支持軸穴ボス部９ｂとを有して形成されている。また、シャッター枠９は、中央開口部９ａを開閉するシャッター羽根５４（図２では図示せず。図５−図７参照）と、シャッター羽根５４を回動駆動させるシャッターアクチュエータ５５等を含むシャッター機構とを有して構成されている。
【００５７】
三群枠１０は、三群レンズ２３を保持する円筒形状の三群レンズ保持部１０ｅと、この三群レンズ保持部１０ｅの外周面上から外方に向けて延出して形成される長腕部１０ｆ及び短腕部１０ｇと、長腕部１０ｆの先端側に設けられ光軸Ｏと平行方向に形成される軸孔１０ｂを有する軸支ボス部１０ａと、この軸支ボス部１０ａの外周面上に外方に向けて突設される従動ピン１０ｃと、短腕部１０ｇの先端側近傍において光軸Ｏに沿う方向であって後方に向けて突設される干渉防止突部１０ｈと、三群レンズ保持部１０ｅの中央開口部の被写体側（前方）の周縁部に設けられる開口絞り１０ｄ等を有して形成されている。
【００５８】
軸支ボス部１０ａの軸孔１０ｂには、三群枠支持軸５２が挿入されるようになっている。この三群枠支持軸５２は、後端側を上記三群用直進枠７の軸支持穴７ｃに軸支され、前端側を後述するように押さえ板部材８の軸支持穴８ａに軸支されていて、光軸Ｏに平行に配置されている。これにより、三群枠１０は、三群枠支持軸５２によって光軸Ｏに沿う方向に摺動自在に、かつ三群枠支持軸５２の軸中心周りに回動自在となっている。つまり、三群枠１０は、三群枠支持軸５２の軸中心周りに回動することで、光軸Ｏに対しては、光軸Ｏに沿う方向に対して揺動自在となっている。
【００５９】
従動ピン１０ｃは、後述するように固定枠２の後端面に装着される保持プレート１５の板面上に光軸Ｏに沿う方向であって前方に向けて突出するように一体的に固定支持される退避カム１４（図１，図２参照）に係合及び離脱することで、三群枠１０を回動させることにより、当該三群枠１０を光路に対して進退させるために設けられているものである。
【００６０】
この従動ピン１０ｃは、当該ズームレンズ鏡筒１が撮影状態にあるときには、退避カム１４に対して離間した位置に配置されるようになっている一方、三群枠１０が三群用直進枠７と共に繰り込まれた場合には、従動ピン１０ｃが固定枠２の側の退避カム１４に当接し係合することにより、三群枠１０を退避方向に回動駆動するようになっている。これによって、三群枠１０は、光軸Ｏに沿う方向に対して揺動し、三群枠１０に保持される三群レンズ２３がシャッター枠９の中央開口部９ａを通る光路外へと退避するようになっている。
【００６１】
そして、沈胴動作がなされて三群枠１０が図７に示す沈胴位置に配置されたときには、固定枠２の後端部の沈胴位置に繰り込まれた四群枠１３の四群レンズ２４（詳細は後述する）の光路外の空き空間に配置されるようになっている。
【００６２】
本実施形態のズームレンズ鏡筒１において、光路外に退避するように構成される光学要素（レンズ群）である三群レンズ２３は、当該ズームレンズ鏡筒１の撮影光学系における開口絞り１０ｄに近接した位置に配置されている。
【００６３】
一般に光学系の開口絞り位置では、全ての光線束の径が最も小さくなっている。したがって、この開口絞り位置近傍に配置するレンズも小径のものを用いることができる。
【００６４】
本実施形態のズームレンズ鏡筒１においては、開口絞り１０ｄの近傍に配置した光学要素（レンズ群）である三群レンズ２３を、退避レンズ枠である三群枠１０によって小径の光路外へと退避自在な構成としたので、当該三群枠１０の三群レンズ２３を光路外に退避させる際には、三群枠１０の退避回動角を小さくすることができると共に、退避空間を小さくすることができ、よってズームレンズ鏡筒１自体の小型化を図ることができるようになっている。
【００６５】
干渉防止突部１０ｈは、図６に示すように三群枠１０に保持される三群レンズ２３の最後端面よりも後方に向けて突出するように設定されている。これにより、本ズームレンズ鏡筒１の沈胴動作時において、三群枠１０と四群枠１３とが接近した状態となったときに、例えば意図しない外力を受けたり電気的現象に起因する異常動作が生じて、両枠１０，１３が異常に接近してしまったような場合においても、干渉防止突部１０ｈが四群枠１３の一部に、先に当接し、これによって三群レンズ２３と四群レンズ２４とが、直接当接するようなことを防止している。そのために、干渉防止突部１０ｈは、三群枠１０が揺動する際には、フォーカシングレンズである四群レンズ２４の有効径の外側を揺動するような位置に配設されている。
【００６６】
なお、干渉防止突部１０ｈに対応する部位であって、四群枠１３側の詳細構成については後述する。
【００６７】
押さえ板部材８は、半円環形状からなり、板面上に形成され三群枠支持軸５２の前端部を軸支する軸支持穴８ａを有し、当該シャッター及び三群ユニット３２の前面側の一部を覆うように配置されている。つまり、抑え板部材８と三群用直進枠７との間に、三群枠１０とシャッター枠９と三群枠支持軸５２とを挟み込んだ状態で、三群用直進枠７の前側に所定の距離だけ離間した位置にネジ等によって固着されている。
【００６８】
上述したように三群枠支持軸５２は、三群枠１０の軸孔１０ｂを貫通した状態で、当該三群枠１０を回動自在に軸支し、その両端部は三群用直進枠７の軸支持穴７ｃと押さえ板部材８の軸支持穴８ａとによって軸支されている。そして、三群枠付勢バネ５３は、軸支ボス部１０ａに挿入した状態で、三群枠１０を前側から見て反時計回りに付勢するように、所定の固定部に係止されている。
【００６９】
三群枠１０は、当該シャッター及び三群ユニット３２の所定の位置に組み付けられた状態とされたとき、三群枠支持軸５２によって回動自在に支持されており、かつ三群用直進枠７と押さえ板部材８とによって光軸Ｏに沿う方向への移動が規制された状態に保持されている。
【００７０】
また、シャッター枠９の支持軸穴９ｃには、三群用直進枠７のシャッター支持軸部７ｂが摺動自在に嵌入されており、これによって、シャッター枠９は、三群枠１０の前側に配置されている。この場合において、シャッター支持軸部７ｂには、シャッター枠付勢バネ５１が巻回されており、これによってシャッター枠９は、前側に向けて付勢されている。
【００７１】
そして、シャッター枠９の支持軸穴ボス部９ｂの前端面９ｄは、二群枠１１の当接部１１ｂ（図２参照）に対向する位置に配置されている。ここで、前端面９ｄと二群枠１１の当接部１１ｂとが当接していないフリー状態となっているときには、シャッター枠付勢バネ５１の付勢力によってシャッター枠９は、三群用直進枠７及び三群枠１０に対して相対的に前側に移動して、押さえ板部材８に当接した状態が保持されるようになっている。
【００７２】
一方、二群枠１１が相対的に繰り込み方向に移動したとき、当接部１１ｂに対して前端面９ｄが押圧された状態になると、シャッター枠９は、シャッター枠付勢バネ５１の付勢力に抗して二群枠１１と一体的に繰り込み方向、即ち三群枠１０の側に向けて接近する方向に移動するようになっている。そして、三群枠１０が光路外へと退避した状態、即ち退避位置に回動移動した状態になると、シャッター枠９は、二群枠１１によって三群レンズ２３の側方のスペースにシャッター羽根部が収まる位置まで変位して沈胴させることができるようになっている。
【００７３】
押さえ板部材８とシャッター枠９と三群枠１０とが組み付けられた三群用直進枠７は、二群枠１１の内周部に挿入された状態で、ガイド突部７ａが移動枠４の三群用直進溝４ｂに貫通し、カムフォロワ４２が回転枠３の三群用カム溝３ｄに嵌入された状態に組み立てられる。したがってこれにより、三群用直進枠７は、移動枠４によって回転が規制された状態で回転枠３により進退駆動されようになっている。
【００７４】
四群枠１３は、四群レンズ２４を保持する枠部材である。四群枠１３の外周には、外方に向けて延出する長腕部１３ｅ及び短腕部１３ｆが設けられている。長腕部１３ｅの先端部近傍には、上記フォーカシングユニット１８のガイド軸５７（図６−図８参照）が挿通される軸穴１３ａが形成されている。また、短腕部１３ｆの先端部近傍には、固定枠２の直進溝（図示せず）に摺動自在に係合されるガイド突起部１３ｂが形成されている。
【００７５】
この四群枠１３は、固定枠２の内部における後方に挿入配置されており、固定枠２に対して光軸Ｏに沿う方向に進退自在となっている。
【００７６】
即ち、四群枠１３は、フォーカシングユニット１８のフォーカス駆動源（フォーカスモータ）の駆動力によってギヤー列，送りネジを介してガイド軸５７が回動されると、このガイド軸５７に沿う方向、即ち光軸Ｏに沿う方向に進退駆動されて、撮影状態にあるときには適切なフォーカシング位置に、また沈胴動作時には所定の沈胴位置に配置されるようになっている。
【００７７】
また、四群枠１３の略中央部には開口部が穿設されており、この開口部の内側部分に四群レンズ２４が固定保持されている。そして、四群枠１３の前面側において、当該開口部の外周縁部、即ちフォーカシングレンズである四群レンズ２４の有効径の外側には、退避レンズである三群枠１０の退避軌跡に沿って形成される退避用レール部１３ｄと、同様に同退避軌跡に沿って形成され上記退避用レール部１３ｄに連設される斜面からなる斜面部１３ｃとが形成されている。
【００７８】
この退避用レール部１３ｄ及び斜面部１３ｃは、三群枠１０の干渉防止突部１０ｈに対向する部位であって、三群枠１０が退避動作をするときの干渉防止突部１０ｈの軌跡に沿って形成されている。
【００７９】
通常動作時においては、三群枠１０の干渉防止突部１０ｈと、四群枠１３の退避用レール部１３ｄ及び斜面部１３ｃとは、常に当接しないような位置関係で配置されている。
【００８０】
しかしながら、本実施形態のズームレンズ鏡筒１の沈胴動作時には、三群枠１０と四群枠１３とは、極めて接近した状態で、それぞれが所定の動作を行うことになる。したがって、沈胴動作時において、当該ズームレンズ鏡筒１に対して、例えば意図しない外力が加わった場合に、両枠１０，１３が異常に接近してしまう可能性もある。このような場合においても、干渉防止突部１０ｈは、その退避軌跡、即ち干渉防止突部１０ｈの揺動の軌跡に沿って設けられる退避用レール部１３ｄ及び斜面部１３ｃに当接し、これにガイドされるようになっているので、三群レンズ２３と四群レンズ２４とが、直接当接することを防止している。
【００８１】
つまり、退避用レール部１３ｄと斜面部１３ｃとは、三群枠１０の干渉防止突部１０ｈとの当接状態にあるときには、当該干渉防止突部１０ｈの揺動の軌跡に沿って該干渉防止突部１０ｈをガイドするガイド軌跡部の役目をしている。
【００８２】
保持プレート１５は、金属製の板状部材からなり、組み立てられた状態のズームレンズ鏡筒１における固定枠２の後端面に対して、例えばビス等によって固定されている。この保持プレート１５には、略中央部に開口（図示せず）が設けられおり、この開口の近傍に三群枠１０を駆動する退避カム１４が光軸Ｏに沿う方向であって前方に向けて直立した状態でアウトサート成形により一体的に設けられている。
【００８３】
この退避カム１４は、光軸Ｏに沿う方向に対して傾斜面を有する退避カム面１４ａと、光軸Ｏに沿う方向に形成され退避位置を保持するための退避壁面１４ｂとを有して形成されている。
【００８４】
そして、保持プレート１５は、上述の回転枠３等の各枠部材が組み付けられた状態の固定枠２の後端面に対して固定されている。
【００８５】
このような各種の構成部材により構成される本実施形態のズームレンズ鏡筒１の後側には、撮像ユニット３３が装着されるようになっている。
【００８６】
この撮像ユニット３３は、センサ基台１６と、このセンサ基台１６の略中央部に固設される撮像素子２６及び光学ローパスフィルタ２５等によって構成されている。
【００８７】
そして、この撮像ユニット３３は、保持プレート１５が取り付けられた固定枠２の後端面に対してセンサ基台１６をビス止め固定することにより装着されている。
【００８８】
このように構成された本実施形態のズームレンズ鏡筒１における各枠部材の作用を以下に説明する。
【００８９】
以下の説明においては、最初に本ズームレンズ鏡筒１が撮影可能な状態であって長焦点位置にある状態（図５に示す状態）から短焦点位置にある状態（図６に示す状態）へと繰り込み動作を行った後、この短焦点位置からさらに繰り込み動作を行う沈胴動作を行って沈胴状態（図７に示す状態）とするまでの作用を説明する。
【００９０】
なお、図７の沈胴状態（非撮影状態）から撮影状態（短焦点位置）への繰り出し動作、及びこの撮影状態における短焦点位置から長焦点位置への繰り出し動作時には、逆の作用を実行すればよい。
【００９１】
まず、図５に示すように、本実施形態のズームレンズ鏡筒１が撮影状態であって長焦点位置にあるとき、回転枠３のカムフォロワ３ａは、固定枠２のカム溝２ａの円周溝部に嵌入した繰り出し状態にある。したがって、回転枠３は、移動枠４と共に撮影状態に位置している。また、カム枠５は、移動枠４のカム枠用カム溝４ｃにより位置決めされ、回転枠３よりさらに前方に繰り出されている。一群枠１２と二群枠１１とは、それぞれカム枠５の一群用カム溝５ｂ，二群用カム溝５ａにより所定の長焦点位置に繰り出されている。
【００９２】
さらに、この長焦点位置にある状態では、三群用直進枠７は、回転枠３の三群用カム溝３ｄにより繰り出されている。また、シャッター枠９は、二群枠１１の当接部１１ｂにより支持軸穴ボス部９ｂの前端面９ｄが押圧され、長焦点位置に位置決めされている（図５参照）。
【００９３】
三群枠１０は、三群用直進枠７とともに移動し、光軸Ｏに沿う方向の長焦点位置に配置されている。この状態において、三群枠１０の従動ピン１０ｃは、退避カム１４の退避カム面１４ａとは離間した状態にある。したがって、三群枠１０は、三群枠付勢バネ５３の付勢力によって正面から見て反時計回りに回動した状態となっており、これにより、三群枠１０は、光路内に挿入されて撮影光学系の一部として機能する位置にある。また、四群枠１３は、フォーカシングユニット１８により図５の状態に対応した所定のフォーカシング位置に進退駆動される。
【００９４】
この状態から、本ズームレンズ鏡筒１を撮影状態における短焦点位置へと変位させる場合は、次に示すように動作させる。
【００９５】
使用者による所定のズーム操作によって、所定のズーム操作がなされると、これを受けてズーミングユニット１７は、ズームモータを駆動制御してロングギヤー４５を介して回転枠３を回転駆動させる。これにより、カム枠５は回転しながら繰り込まれる。カム枠５の回転に伴って、図６に示すように一群枠１２は繰り込まれ、二群枠１１は繰り出される。これにより両枠１２，１１は、それぞれが所定の短焦点位置に移動する。
【００９６】
三群用直進枠７は、回転枠３の回転に伴って所定の短焦点位置に繰り込まれるが、シャッター枠９は、支持軸穴ボス部９ｂの前端面９ｄが二群枠１１の当接部１１ｂから解放されるので、押さえ板部材８に当接した状態の短焦点位置に移動する。この押さえ板部材８に当接した状態では、シャッター枠９のシャッター羽根５４まわりと三群レンズ２３とがわずかに離れた状態である。この状態では、三群枠１０の退避方向への回動動作がシャッター枠９によって干渉されない。
【００９７】
また、上述の短焦点状態においても、三群枠１０の従動ピン１０ｃは、退避カム１４の退避カム面１４ａと離間した状態にあり、三群枠１０は、図６に示すように光路内に挿入された位置が保持されている。
【００９８】
四群枠１３は、フォーカシングユニット１８により上述の短焦点状態に対応したフォーカシング位置に進退駆動される。
【００９９】
続いて、本実施形態のズームレンズ鏡筒１を上述の短焦点位置から沈胴位置へと沈胴動作させる場合、図６の短焦点状態から図７の沈胴状態へと変位させることになる。
【０１００】
即ち、図６に示す短焦点状態にあるとき、まず、フォーカシングユニット１８によって四群枠１３が、光軸Ｏに沿う方向であって撮像ユニット３３の側に向けて繰り込まれ、所定の沈胴位置まで移動する。
【０１０１】
次いで、ズーミングユニット１７によって回転枠３が、正面から見て反時計回りに回転駆動される。この回転駆動によって、回転枠３は、回転しながら繰り込み方向に移動する。
【０１０２】
回転枠３の繰り込み方向への移動に伴って、一群枠１２及び二群枠１１は、カム枠５を介して繰り込み方向に移動する。これと同時に、三群用直進枠７もシャッター枠９及び三群枠１０と共に繰り込み方向に移動する。
【０１０３】
この場合において、回転枠３が所定の位置まで回動すると、三群枠１０の従動ピン１０ｃが退避カム１４の退避カム面１４ａと当接し、さらに回転枠３が回動することにより、三群枠１０は、光路から退避する方向、即ち正面から見て時計回りへの回動を開始する。なお、この三群枠１０の退避方向への回動動作がなされる後半の期間には、レンズバリア２７の閉方向への回動駆動も開始される。
【０１０４】
そして、回転枠３が退避完了回動位置まで回動すると、従動ピン１０ｃは、退避カム面１４ａから退避壁面１４ｂに到達し、三群枠１０は、光路外の退避位置に退避される。
【０１０５】
なお、従動ピン１０ｃが退避カム１４の退避カム面１４ａと当接した後、退避壁面１４ｂに到達するまでの三群枠１０の退避期間中において、シャッター枠９は、二群枠１１の当接部１１ｂで押圧されずに、押さえ板部材８に当接した状態が保持され、三群枠１０とシャッター枠９とは離間した状態が継続している。したがって、三群枠１０の退避回動時にシャッター枠９が干渉することはなく、三群枠１０のスムーズな退避動作が可能である。
【０１０６】
三群枠１０の退避回動動作が終了した後、三群枠１０は、三群用直進枠７と共に、さらに繰り込み方向へと移動し、また、一群枠１２及び二群枠１１も繰り込まれる。
【０１０７】
二群枠１１の繰り込み動作に伴って当接部１１ｂは、シャッター枠９の前端面９ｄに当接し、さらに当接部１１ｂはシャッター枠９を押圧する。すると、シャッター枠付勢バネ５１が圧縮されて、シャッター枠９は三群枠１０に接近する。上述したように、三群枠１０は、このとき既に光路外に退避しているので、シャッター枠９のシャッター羽根５４は、三群枠１０が光路上に配置されていた空間に進入してくる。
【０１０８】
さらに沈胴動作が継続されて、回転枠３，カム枠５，一群枠１２，二群枠１１，三群用直進枠７等は、最終的にそれぞれが所定の沈胴位置まで繰り込まれて、図７に示す状態になる。この状態において、シャッター枠９は、二群枠１１（の当接部１１ｂ）によって押圧された状態の沈胴位置に移動している。
【０１０９】
三群枠１０が退避位置に退避したことにより形成される光路上の空間には、上述のシャッター枠９のシャッター羽根５４のほかに、二群枠１１に保持されている二群レンズ２２の一部や、四群枠１３に保持されている四群レンズ２４等が収納された状態になる。
【０１１０】
そして、この沈胴状態となったときには、レンズバリア２７は、所定の閉位置に配置されている。
【０１１１】
上述したように、ズームレンズ鏡筒１が撮影状態であって各枠部材が長焦点位置にある状態から短焦点位置へと繰り込まれた後、この短焦点位置からの沈胴動作によって各枠部材が完全に沈胴状態に配置されるまでの一連の動作のうち、例えば本ズームレンズ鏡筒１が撮影状態から非撮影状態へと変位して、非撮影状態において沈胴動作がなされる際の、退避レンズ枠である三群枠１０の光路上からの退避回動動作中おいては、三群枠１０と四群枠１３とが近接した位置になる。
【０１１２】
したがって、このような状態にあるときに、例えば当該ズームレンズ鏡筒１に対して、例えば意図しない外力が加わったり電気的現象に起因する異常動作が生じた場合には、三群枠１０と四群枠１３とが、さらに異常に接近してしまうことがある。
【０１１３】
この場合において、本実施形態の構成では、三群枠１０の干渉防止突部１０ｈが、その退避軌跡上に設けられる四群枠１３の退避用レール部１３ｄ，斜面部１３ｃに当接する。したがって、これにより、三群枠１０に保持される三群レンズ２３の最後端面と四群枠１３に保持される四群レンズ２４の最前端面とが直接当接することがない。
【０１１４】
以上説明したように、上記一実施形態によれば、退避レンズ枠である三群枠１０に干渉防止突部１０ｈを設け、この三群枠１０に近接する位置に配置される四群枠１３の側には、上記干渉防止突部１０ｈに対向する位置であって、三群枠１０が退避回動動作をするときの干渉防止突部１０ｈの退避軌跡上に沿うようにして、退避用レール部１３ｄ及び斜面部１３ｃを形成している。
【０１１５】
したがって、このような構成により、三群枠１０と四群枠１３が沈胴動作時等において近接する状態となったときに、たとえ、ズームレンズ鏡筒１に対して意図しない外力が加わって、三群枠１０と四群枠１３とが、異常に近接したような場合にも、三群枠１０に保持される三群レンズ２３の最後端面と四群枠１３に保持される四群レンズ２４の最前端面とが直接当接したり、衝突してしまうようなことを防ぐことができ、退避レンズ枠である三群枠１０の円滑な退避動作を常に確保することができる。
【０１１６】
なお、本発明は上述した実施形態に限定されるものではなく、発明の主旨を逸脱しない範囲内において種々の変形や応用を実施し得ることが可能であることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【０１１７】
【図１】本発明の一実施形態のズームレンズ鏡筒を示す分解斜視図。
【図２】図１のズームレンズ鏡筒における構成部材のうち第二群枠とシャッター及び三群ユニットと退避カムとを取り出して示すの要部分解斜視図。
【図３】図１のズームレンズ鏡筒における構成部材のうちシャッター及び三群ユニットの三群枠（退避レンズ枠）のみを取り出して拡大して示す要部拡大斜視図。
【図４】図１のズームレンズ鏡筒における構成部材のうちフォーカシングレンズ枠のみを取り出して拡大して示す要部拡大斜視図。
【図５】図１のズームレンズ鏡筒の組立状態における光軸方向に沿う面の断面図であって、当該ズームレンズ鏡筒が撮影状態において最長焦点位置に設定されている状態（テレ端状態）を示す図。
【図６】図１のズームレンズ鏡筒の組立状態における光軸方向に沿う面の断面図であって、当該ズームレンズ鏡筒が撮影状態において最短焦点位置に設定されている状態（ワイド端状態）を示す図。
【図７】図１のズームレンズ鏡筒の組立状態における光軸方向に沿う面の断面図であって、当該ズームレンズ鏡筒が非撮影状態に設定されている状態（沈胴状態）を示す図。
【図８】図１のズームレンズ鏡筒の作用を示し、当該ズームレンズ鏡筒が撮影状態から非撮影状態に変位する際に異常動作が生じた場合に三群枠（退避レンズ枠）と四群枠（フォーカシングレンズ枠）とが当接する状態を示す要部拡大斜視図。
【符号の説明】
【０１１８】
１……ズームレンズ鏡筒
２……固定枠
３……回転枠
４……移動枠
５……カム枠
６……直進ガイド枠
７……三群用直進枠
８……押さえ板部材
９……シャッター枠
１０……三群枠，退避レンズ枠
１０ｈ……干渉防止突部
１１……二群枠
１２……一群枠
１３……四群枠，フォーカシングレンズ枠
１３ｃ……斜面部，ガイド軌跡部
１３ｄ……退避用レール部，ガイド軌跡部
１４……退避カム
１４ａ……退避カム面
１４ｂ……退避壁面
１５……保持プレート
１６……センサ基台
１７……ズーミングユニット
１８……フォーカシングユニット
１９……バヨネットプレート
２１……一群レンズ
２２……二群レンズ
２３……三群レンズ，退避レンズ
２４……四群レンズ，フォーカシングレンズ
２６……撮像素子
２７……レンズバリア
３２……シャッター及び三群ユニット
３３……撮像ユニット
５３……三群枠付勢バネ
【図１】
2009025557.tif 000003
【図２】
2009025557.tif 000004
【図３】
2009025557.tif 000005
【図４】
2009025557.tif 000006
【図５】
2009025557.tif 000007
【図６】
2009025557.tif 000008
【図７】
2009025557.tif 000009
【図８】
2009025557.tif 000010